(57)【要約】      （修正有）【課題】装置本体の限られた外壁部に対して、異なる機能を備えた複数のユニットを配置することが可能な画像形成装置を提供する。【解決手段】装置本体の上部筐体２２は前壁２２２を備える。前壁２２２には、第１装着部２２３が配置される。ステープルホルダー５は、第１装着部２２３に装着可能とされ、ステープルなどを収容する機能を備える。また、第１装着部２２３には、補助トレイ６が装着可能とされる。補助トレイ６は、上面部に各種の機器が載置される機能を備える。更に、補助トレイ６は、第２装着部６２を備える。第２装着部６２には、ステープルホルダー５が再装着可能とされる。【選択図】図５
2014157318.tif 000002
【特許請求の範囲】
【請求項１】
壁部を備える装置本体と、
前記装置本体に配置され、シートに画像を形成する画像形成部と、
前記壁部に配置される第１装着部と、
前記第１装着部に装着可能とされ、第１の機能を備える第１ユニットと、
前記第１ユニットに配置される第２装着部と、
前記１装着部または前記第２装着部に装着可能とされ、第２の機能を備える第２ユニットと、
を有することを特徴とする画像形成装置。
【請求項２】
前記第１ユニットは、上面部を備える補助トレイであることを特徴とする請求項１に記載の画像形成装置。
【請求項３】
前記補助トレイは、前記壁部に沿って、複数の位置に装着可能とされることを特徴とする請求項２に記載の画像形成装置。
【請求項４】
前記補助トレイの前記上面部には、前記装置本体に対して電気的に接続されるオプション機器が載置可能であり、
前記壁部は、前記オプション機器が電気的に接続されるコネクタ部を備えることを特徴とする請求項２または３に記載の画像形成装置。
【請求項５】
前記第２ユニットは、ステープルホルダーであることを特徴とする請求項１乃至４の何れか１項に記載の画像形成装置。
【請求項６】
前記装置本体は、
下部筐体と、
前記下部筐体の上方に間隔をおいて配置される上部筐体と、
前記下部筐体と前記上部筐体との間において、前方部分が前記装置本体の外部に開放して配置され、シートが排出される排出空間と、を備え、
前記壁部は、前記上部筐体のうち前記排出空間が開放される領域の上方において立設され、
前記第１ユニットは、底面部を備え、左右方向に延設されるユニットであり、
前記第２装着部は、前記第１ユニットの左右方向の一端側に配置され、
前記第１ユニットの前記底面部の左右方向の他端側が、部分的に窪んで形成された退避部を更に有することを特徴とする請求項１に記載の画像形成装置。
【請求項７】
前記装置本体は、上面に原稿が載置される原稿載置面を備え、
前記壁部は、前記原稿載置面と交差して、上下方向に立設され、
前記補助トレイの前記上面部は、前記原稿載置面と上下方向において略面一に配置されることを特徴とする請求項２に記載の画像形成装置。
【発明の詳細な説明】
【技術分野】
【０００１】
本発明は、シートに画像を形成する画像形成装置に関する。
【背景技術】
【０００２】
従来、シートに画像を形成する画像形成装置として、特許文献１に記載された技術が知られている。該技術では、画像形成装置は、装置本体に固定的に配置された第１操作パネルと、装置本体に対して出没可能に配置された第２操作パネルとを備える。装置本体の外壁部の面積は限られているため、操作パネルを配置するためのスペースも限られる。したがって、上記の技術では、必要に応じて第２操作パネルが装置本体から突出されることによって、画像形成装置に対する付加的な操作が可能とされる。
【先行技術文献】
【特許文献】
【０００３】
【特許文献１】特開２００１−３３７５０１号公報
【発明の概要】
【発明が解決しようとする課題】
【０００４】
上記のように、画像形成装置の装置本体の外壁部には、さまざまな機能を備えた部材が配置される。そして、前記外壁部の面積は限られているため、付加的な機能を備えた部材がオプションとして装着される場合、既に外壁部に配置されている部材が前記オプション部材の装着を妨げ、機能の両立が妨げられるという課題があった。
【０００５】
本発明は、上記の問題に鑑みてなされたものであり、装置本体の限られた外壁部に対して、異なる機能を備えた複数のユニットを配置することが可能な画像形成装置を提供することを目的とする。
【課題を解決するための手段】
【０００６】
本発明の一局面に係る画像形成装置は、壁部を備える装置本体と、前記装置本体に配置され、シートに画像を形成する画像形成部と、前記壁部に配置される第１装着部と、前記第１装着部に装着可能とされ、第１の機能を備える第１ユニットと、前記第１ユニットに配置される第２装着部と、前記１装着部または前記第２装着部に装着可能とされ、第２の機能を備える第２ユニットと、を有することを特徴とする。
【０００７】
本構成によれば、第１ユニットが装置本体に装着されていない場合、第２ユニットは装置本体の壁部に配置された第１装着部に装着可能とされる。一方、第１ユニットが装置本体の第１装着部に装着された場合、第２ユニットは第１ユニットに配置された第２装着部に装着可能とされる。このため、装置本体に第１ユニットが装着された場合であっても、装置本体において、第２ユニットの機能が好適に発現される。したがって、装置本体の限られた壁部に対して、異なる機能を備えた複数のユニットを配置することが可能となる。
【０００８】
上記の構成において、前記第１ユニットは、上面部を備える補助トレイであることが望ましい。
【０００９】
本構成によれば、装置本体に対して、補助トレイを装着することが可能となる。したがって、補助トレイの上に、各種の部材を載置することが可能となる。
【００１０】
上記の構成において、前記補助トレイは、前記壁部に沿って、複数の位置に装着可能とされることが望ましい。
【００１１】
本構成によれば、装置本体の他の部材の配置や使用者の使用条件に応じて、補助トレイの位置を変更することが可能となる。
【００１２】
上記の構成において、前記補助トレイの前記上面部には、前記装置本体に対して電気的に接続されるオプション機器が載置可能であり、前記壁部は、前記オプション機器が電気的に接続されるコネクタ部を備えることが望ましい。
【００１３】
本構成によれば、装置本体に対して電気的に接続されるオプション機器が第１ユニットに載置可能とされる。また、壁部に配置されたコネクタ部を介して、オプション機器と装置本体とを電気的に接続することが可能となる。
【００１４】
上記の構成において、前記第２ユニットは、ステープルホルダーであることが望ましい。
【００１５】
本構成によれば、画像形成装置の使用に応じて、不要となったステープルをステープルホルダーに収容することが可能となる。
【００１６】
上記の構成において、前記装置本体は、下部筐体と、前記下部筐体の上方に間隔をおいて配置される上部筐体と、前記下部筐体と前記上部筐体との間において、前方部分が前記装置本体の外部に開放して配置され、シートが排出される排出空間と、を備え、前記壁部は、前記上部筐体のうち前記排出空間が開放される領域の上方において立設され、前記第１ユニットは、底面部を備え、左右方向に延設されるユニットであり、前記第２装着部は、前記第１ユニットの左右方向の一端側に配置され、前記第１ユニットの前記底面部の左右方向の他端側が、部分的に窪んで形成された退避部を更に有することが望ましい。
【００１７】
本構成によれば、第１ユニットが、排出空間の上方に配置される第１装着部に装着された場合であっても、第１ユニットの他端側には退避部が配置される。このため、該退避部を介して、外部からの排出空間の視認性が好適に確保される。
【００１８】
上記の構成において、前記装置本体は、上面に原稿が載置される原稿載置面を備え、前記壁部は、前記原稿載置面と交差して、上下方向に立設され、前記補助トレイの前記上面部は、前記原稿載置面と上下方向において略面一に配置されることが望ましい。
【００１９】
本構成によれば、第１装着部に装着された補助トレイの上面部が、原稿載置面と略面一に配置される。このため、原稿載置面の面積よりも大きな原稿が、原稿載置面に載置された場合に、前記原稿のうち装置本体の外側に延伸した領域を、補助トレイが支持することができる。
【発明の効果】
【００２０】
本発明によれば、装置本体の限られた外壁部に対して、異なる機能を備えた複数のユニットを配置することが可能な画像形成装置が提供される。
【図面の簡単な説明】
【００２１】
【図１】本発明の一実施形態に係る画像形成装置の斜視図である。
【図２】本発明の一実施形態に係る画像形成装置の内部構造を示す断面図である。
【図３】本発明の一実施形態に係る画像形成装置の前壁の拡大図である。
【図４】本発明の一実施形態に係る画像形成装置に補助トレイが装着された状態を示す斜視図である。
【図５】図４の状態の補助トレイの周辺の拡大斜視図である。
【図６】画像形成装置の前壁からステープルホルダーが脱離される状態を示す斜視図である。
【図７】画像形成装置の前壁に補助トレイが装着された状態の斜視図である。
【図８】補助トレイにキーボードが載置された状態の斜視図である。
【図９】補助トレイにステープルホルダーが装着される状態を示す斜視図である。
【発明を実施するための形態】
【００２２】
以下、図面に基づいて、本発明の実施形態につき詳細に説明する。図１は、本発明の一実施形態に係る画像形成装置１の外観を示す斜視図、図２は、画像形成装置１の内部構造を示す断面図である。ここでは、画像形成装置１として胴内排紙型の複写機を例示しているが、画像形成装置は、プリンター、ファクシミリ装置、或いは、これらの機能を備える複合機であってもよい。
【００２３】
画像形成装置１は、略直方体形状の筐体構造を有し胴内空間を備えた装置本体２と、装置本体２の上面に配置された不図示の自動原稿給紙装置とを含む。
【００２４】
装置本体２は、シートに対して画像形成処理を行う。装置本体２は、略直方体形状の下部筐体２１と、下部筐体２１の上方に間隔をおいて配置される略直方体形状の上部筐体２２と、下部筐体２１と上部筐体２２とを連結する連結筐体２３とを含む。下部筐体２１には画像形成のための各種機器が収容され、上部筐体２２には原稿画像を光学的に読み取るための画像読取ユニット３Ｂ（図２）が収容されている。また、上部筐体２２は、前壁２２２（壁部）を含む。前壁２２２は、上部筐体２２の前側の壁部である。下部筐体２１、上部筐体２２及び連結筐体２３で囲まれる胴内空間が、画像形成後のシートを収容可能な胴内排紙部２４（排出空間）とされている。連結筐体２３は装置本体２の右側面の側に配置され、胴内排紙部２４へシートを排出するための排出口９６１（図２）が連結筐体２３に設けられている。
【００２５】
胴内排紙部２４として利用される前記胴内空間は、装置本体２の前面及び左側面において外部に開放されている。すなわち、胴内排紙部２４は、下部筐体２１と上部筐体２２との間において、前方および左方部分が装置本体２の外部に開放して配置され、胴内排紙部２４にシートが排出される。ユーザーは、これらの開放部分から手を差し入れ、胴内排紙部２４から画像形成後のシートを取り出すことが可能である。前記胴内空間の底面２４１は、下部筐体２１の上面で区画され、排出口９６１から排出されたシートが積載される。また、前述の上部筐体２２の前壁２２２は、上部筐体２２のうち胴内排紙部２４が前方に開放される領域の上方に立設される側壁である。
【００２６】
上部筐体２２の前壁２２２の右端部には、操作パネルユニット２５が突出して設けられている。操作パネルユニット２５は、テンキー、スタートキーなどを含む操作キー２５１及びＬＣＤタッチパネル２５２などを備え、ユーザーからの各種の操作指示の入力を受け付ける。ユーザーは、操作パネルユニット２５を通じて、印刷されるシートの枚数等を入力したり、印刷濃度等を入力したりすることができる。
【００２７】
下部筐体２１には、画像形成処理が施される記録シートを収容する給紙カセット２１１Ａおよび２１１Ｂが装着されている。なお、図２では、上方の給紙カセット２１１Ａのみが現れている。これら給紙カセット２１１Ａ、２１１Ｂは、自動給紙用に設けられたカセットであり、大量の記録シートをサイズ別に収容することができる。また、給紙カセット２１１Ａ、２１１Ｂは、下部筐体２１の前面から手前方向に引出可能である。
【００２８】
装置本体２の右側面には、ユーザーに手差し給紙を行わせるためのマルチトレイユニットＭが装着されている。マルチトレイユニットＭは、手差しの記録シートが載置される給紙トレイ４３と、前記記録シートを下部筐体２１内の画像形成部へ搬入する給紙ユニット４４とを含む。給紙トレイ４３は、その下端部において下部筐体２１に対して開閉自在に取り付けられており、不使用時は閉状態とされる。ユーザーは、手差し給紙を行う場合、給紙トレイ４３を開き、その上に記録シートを載置する。
【００２９】
自動原稿給紙装置は、装置本体２の上部筐体２２の上面に、その後側において回動自在に取り付けられている。なお、図１および図２では、この自動原稿給紙装置の記載を省いている。自動原稿給紙装置は上部筐体２２の上面に当接された状態（閉状態）で、装置本体２における所定の原稿読取位置に向けて、複写される原稿シートを自動給紙する。一方、ユーザーが手置きで原稿シートを所定の原稿読取位置に載置する場合は、自動原稿給紙装置は上方に開けられる（開状態）。なお、上部筐体２２の前記上面には、原稿が載置されるコンタクトガラス２２１（原稿載置面）が配置される。また、前述の前壁２２２は、換言すると、コンタクトガラス２２１と交差して、上下方向に立設される壁部である。
【００３０】
下部筐体２１の内部には、上方から順に、トナーコンテナ９９Ｙ、９９Ｍ、９９Ｃ、９９Ｂｋ、中間転写ユニット９２、画像形成部９３、露光ユニット９４、及び上述の給紙カセット２１１が収容されている。
【００３１】
画像形成部９３は、フルカラーのトナー像（画像）をシートに形成するために、イエロー（Ｙ）、マゼンタ（Ｍ）、シアン（Ｃ）及びブラック（Ｂｋ）の各トナー像を形成する４つの画像形成ユニット１０Ｙ、１０Ｍ、１０Ｃ、１０Ｂｋを備える。各画像形成ユニット１０Ｙ、１０Ｍ、１０Ｃ、１０Ｂｋは、感光体ドラム１１と、この感光体ドラム１１の周囲に配置された、帯電器１２、現像装置１３、一次転写ローラー１４及びクリーニング装置１５とを含む。
【００３２】
感光体ドラム１１は、その軸回りに回転し、その周面に静電潜像及びトナー像が形成される。帯電器１２は、感光体ドラム１１の表面を均一に帯電する。帯電後の感光体ドラム１１の周面は、露光ユニット９４によって露光され、静電潜像が形成される。現像装置１３は、感光体ドラム１１上に形成された静電潜像を現像するために、感光体ドラム１１の周面にトナーを供給する。現像装置１３は、２成分現像剤用のものであり、攪拌ローラー１６、１７、磁気ローラー１８、及び現像ローラー１９を含む。現像ローラー１９上のトナーは、感光体ドラム１１の周面に供給され、前記静電潜像が現像される。
【００３３】
一次転写ローラー１４は、中間転写ユニット９２に備えられている中間転写ベルト９２１を挟んで感光体ドラム１１とニップ部を形成し、感光体ドラム１１上のトナー像を中間転写ベルト９２１上に一次転写する。クリーニング装置１５は、トナー像転写後の感光体ドラム１１の周面を清掃する。
【００３４】
イエロー用トナーコンテナ９９Ｙ、マゼンタ用トナーコンテナ９９Ｍ、シアン用トナーコンテナ９９Ｃ、及びブラック用トナーコンテナ９９Ｂｋは、それぞれ各色のトナーを貯留するものであり、ＹＭＣＢｋ各色に対応する画像形成ユニット１０Ｙ、１０Ｍ、１０Ｃ、１０Ｂｋの現像装置１３に、図略の供給経路を通して各色のトナーを供給する。
【００３５】
露光ユニット９４は、光源やポリゴンミラー、反射ミラー、偏向ミラーなどの各種の光学系機器を有し、画像形成ユニット１０Ｙ、１０Ｍ、１０Ｃ、１０Ｂｋの各々に設けられた感光体ドラム１１の周面に、原稿画像の画像データに基づく光を照射して、静電潜像を形成する。
【００３６】
中間転写ユニット９２は、中間転写ベルト９２１、駆動ローラー９２２及び従動ローラー９２３を備える。中間転写ベルト９２１上には、複数の感光体ドラム１１からトナー像が重ね塗りされる（一次転写）。重ね塗りされたトナー像は、給紙カセット２１１から供給される記録シートに、二次転写部９８において二次転写される。中間転写ベルト９２１を周回駆動させる駆動ローラー９２２及び従動ローラー９２３は、下部筐体２１によって回転自在に支持される。
【００３７】
給紙カセット２１１Ａ、２１１Ｂは、複数の記録シートが積層されてなるシート束を収納する。給紙カセット２１１Ａの右端側の上部には、繰り出しローラー２１２が配置されている。繰り出しローラー２１２の駆動により、給紙カセット２１１内のシート束の最上層の記録シートが１枚ずつ繰り出され、搬入搬送路２６へ搬入される。一方、給紙トレイ４３に載置された手差しの記録シートは、給紙ユニット４４の搬送ローラー４５の駆動によって、搬入搬送路２６へ搬入される。
【００３８】
搬入搬送路２６の下流側には、二次転写部９８、後述する定着ユニット９７及び排紙ユニット９６を経由して排出口９６１まで延びる搬送路２８が設けられている。搬送路２８の上流部分は、下部筐体２１に形成された内壁と、反転搬送ユニット２９の内側面を形成する内壁との間に形成されている。なお、反転搬送ユニット２９の外側面は、両面印刷の際にシートを反転搬送する反転搬送路２９１の片面を構成している。搬送路２８の、二次転写部９８よりも上流側にはレジストローラー対２７が配置されている。シートは、レジストローラー対２７にて一旦停止され、スキュー矯正が行われた後、画像転写のための所定のタイミングで、二次転写部９８に送り出される。
【００３９】
連結筐体２３の内部には、定着ユニット９７と排紙ユニット９６とが収納されている。定着ユニット９７は、定着ローラーと加圧ローラーとを含み、二次転写部９８においてトナー像が二次転写された記録シートを加熱及び加圧することで、定着処理を施す。定着処理されたカラー画像付の記録シートは、定着ユニット９７の下流に配置されている排紙ユニット９６により、排出口９６１から胴内排紙部２４に向けて排出される。
【００４０】
上部筐体２２には、画像読取ユニット３Ｂが配設される。画像読取ユニット３Ｂは、コンタクトガラス２２１と、ＣＩＳユニット２２４と、画像処理ユニット２２５とを含む。コンタクトガラス２２１は、自動原稿給紙装置から自動給送される原稿シートと、上面に原稿面を下にして載置される固定原稿とに対向し、これらの原稿の画像が読み取られるための読み取り面となる。ＣＩＳユニット２２４によって、コンタクトガラス２２１上の原稿画像が読み取られる。前記自動原稿給送装置および画像読取ユニット３Ｂによって、画像読取装置が構成される。
【００４１】
次に、本実施形態に係る画像形成装置１の前壁２２２における機能について説明する。図３は、図１の画像形成装置１の前壁２２２を拡大した斜視図である。また、図４は、本実施形態に係る画像形成装置１に補助トレイ６が装着された状態を示す斜視図である。図５は、図４の状態の補助トレイ６の周辺の拡大斜視図である。
【００４２】
前述のように、前壁２２２の右側部分には操作パネルユニット２５が配置される。一方、本実施形態では、上部筐体２２の左側部分には、第１装着部２２３が配置される。第１装着部２２３には、装置本体２に対して付加的な機能を備えるユニットが装着される。第１装着部２２３は、上部筐体２２の前壁２２２の左端部に配置される開口部を含む。第１装着部２２３は、前壁２２２の壁面から上部筐体２２の内部に凹没して形成される。本実施形態では、第１装着部２２３には、ステープルホルダー５（第２ユニット）が装着可能とされる。ステープルホルダー５は、左右方向の中央部に仕切版を備え、左右に２つの収容部を備える（第２の機能）（図６参照）。前壁２２２の第１装着部２２３にステープルホルダー５が装着されることで、画像形成装置１の使用に応じて、不要となったステープルがステープルホルダー５に収容されることが可能となる。
【００４３】
更に、本実施形態では、図４および５に示されるように、第１装着部２２３には、補助トレイ６（第１ユニット）が装着可能とされる。補助トレイ６は、上面部および底面部を備え、左右方向に延設される板状のユニットである。したがって、補助トレイ６の上に、各種の部材を載置すること（第１の機能）が可能となる。
【００４４】
図５を参照して、補助トレイ６は、トレイ部６０と、挿入部６１と、第２装着部６２、退避部６５とを備える。
【００４５】
トレイ部６０は、補助トレイ６の本体部分である。トレイ部６０は上面部を備え、装置本体２に対して電気的に接続されるオプション機器などが載置可能とされる。挿入部６１は、トレイ部６０の後縁部から後方に向かって突設される突片である。挿入部６１の一部は板金部材からなる。挿入部６１はトレイ部６０の後縁部に沿う方向において、複数の位置で嵌合固定することが可能である。挿入部６１の前記板金部分は、不図示のスクリューによって後記のとおり第１装着部２２３に装着される。
【００４６】
第２装着部６２は、トレイ部６０の前面部分の左端部（一端側）に配置される。第２装着部６２は、トレイ部６０の前面部分が部分的に窪んで形成される。図５に示されるように、第２装着部６２には、前述のステープルホルダー５が装着可能とされる。
【００４７】
退避部６５は、補助トレイ６のトレイ部６０の右端部（他端側）において、トレイ部６０の底面部が部分的に切りかかれた部分である。換言すれば、退避部６５は、前記底面部が部分的に上方に窪むことで形成される。図４に示すように、退避部６５は、補助トレイ６のうち、操作パネルユニット２５に対向する側に配置されている。また、補助トレイ６と操作パネルユニット２５との間には、左右方向において所定の間隔Ｇが設けられている。
【００４８】
このように、本実施形態では、補助トレイ６が装置本体２に装着されていない場合、ステープルホルダー５は装置本体２の前壁２２２に配置された第１装着部２２３に装着可能とされる。一方、補助トレイ６が装置本体２の第１装着部２２３に装着された場合、ステープルホルダー５は補助トレイ６に配置された第２装着部６２に装着可能とされる。このため、装置本体２に補助トレイ６が装着された場合であっても、装置本体２において、ステープルホルダー５の機能が好適に発現される。したがって、装置本体２の限られた壁部に対して、異なる機能を備えた複数のユニットを配置することが可能となる。
【００４９】
更に、本実施形態では、補助トレイ６が、胴内排紙部２４の上方に配置される第１装着部２２３に装着された場合であっても、補助トレイ６の右端側には退避部６５が配置される。このため、該退避部６５を介して、外部からの胴内排紙部２４の視認性が好適に確保される（図５の矢印ＤＥ）。また、前述のように、補助トレイ６と操作パネルユニット２５との間には所定の間隔Ｇは設けられているため、胴内排紙部２４の視認性が一層確保される。
【００５０】
次に、図６乃至図９を参照して、装置本体２に対する補助トレイ６の装着について、より詳しく説明する。図６は、装置本体２の前壁２２２からステープルホルダー５が脱離される状態を示す斜視図である。また、図７は、前壁２２２に補助トレイ６が装着された状態の斜視図である。図８は、補助トレイ６にキーボード７が載置された状態の斜視図である。更に、図９は、補助トレイ６にステープルホルダー５が再装着される状態を示す斜視図である。
【００５１】
図６を参照して、前壁２２２の左端部には、着脱式壁部２２３Ｈが配置される。着脱式壁部２２３Ｈは、第１装着部２２３の前方部分を画定し、前壁２２２と面一に配置される壁部である。着脱式壁部２２３Ｈは、図６に示すように、スクリューＳが脱離されることによって、上部筐体２２から矢印Ｄ６１方向に取り外される。着脱式壁部２２３Ｈが取り外されることによって、装着空間２２２Ｈが露出される。装着空間２２２Ｈは、第１装着部２２３の後側部分を画定する。更に、図６の矢印Ｄ６２で示すように、着脱式壁部２２３Ｈからステープルホルダー５が脱離される。
【００５２】
着脱式壁部２２３Ｈが取り外されると、補助トレイ６の挿入板金６１Ｈが、装着空間２２２Ｈの後側の壁面に不図示のスクリューによって固定される。また、補助トレイ６の上面部には、面ファスナー６３が貼り付けられる。
【００５３】
更に、図８の矢印Ｄ８１に示すように、補助トレイ６の上面部に、キーボード７が載置される。キーボード７は、前述したオプション機器の一例であり、装置本体２に対して、各種の入力情報を入力するための操作部として機能する。キーボード７は、キーボード本体７０と、ＵＳＢケーブル７１とを備える。キーボード本体７０は、キーボード７の本体部分であり、各種の操作キーが配置される。また、キーボード本体７０の底面部にも、不図示の面ファスナーが配置される。ＵＳＢケーブル７１は、キーボード本体７０の後側部分から延設される。また、上部筐体２２は、内部にＵＳＢ装着部２２２Ｉ（コネクタ部）を備える。ＵＳＢ装着部２２２Ｉは、装着空間２２２Ｈの左側を画定する壁面に配置される。ＵＳＢケーブル７１の先端部に配置されたＵＳＢコネクタが、ＵＳＢ装着部２２２Ｉに接続される（矢印Ｄ８２）。この結果、前壁２２２に配置されたＵＳＢ装着部２２２Ｉを介して、キーボード７と装置本体２とが電気的に接続されることが可能となる。
【００５４】
更に、図９に示されるように、補助トレイ６は、カバー６４を備える。カバー６４は、キーボード７のＵＳＢケーブル７１を上方から保護する。そして、図９の矢印Ｄ９１に示すように、補助トレイ６の前面部に開口された第２装着部６２に、ステープルホルダー５が再び装着される。この結果、装置本体２において、ステープルホルダー５の機能と補助トレイ６の機能とが両立して発現される。
【００５５】
以上、本実施形態に係る画像形成装置１について説明したが、本発明は、これらの実施形態に限定されるものではなく、例えば次のような変形実施形態を取ることができる。
【００５６】
（１）上記の実施形態では、第１ユニットおよび第２ユニットとして、補助トレイ６およびステープルホルダー５を用いて説明したが、本発明はこれに限定されるものではない。第１ユニットおよび第２ユニットとして、他の機能を備えたユニットが、装置本体２の壁部に装着される態様であってもよい。
【００５７】
（２）また、上記の実施形態では、補助トレイ６は、第１装着部２２３に固定される態様にて説明したが、本発明はこれに限定されるものではない。補助トレイ６の挿入板金６１Ｈとトレイ部６０との間に不図示のスライド部材が配置され、補助トレイ６は、前壁２２２に沿って、左右方向に移動可能（複数の位置に装着可能）とされる態様であってもよい。このような構成によれば、装置本体２の他の部材の配置や使用者の使用条件に応じて、補助トレイ６を移動し、好適な位置に配置することが可能となる。
【００５８】
（３）また、上記の実施形態では、図４に示されるように、補助トレイ６は、コンタクトガラス２２１に対して、下方に僅かな段差をもって配置される態様にて説明したが、本発明はこれに限定されるものではない。補助トレイ６の上面部は、コンタクトガラス２２１と上下方向において略面一に配置される態様であってもよい。このような構成によれば、コンタクトガラス２２２（上部筐体２２の上面部）の面積よりも大きな原稿が、コンタクトガラス２２２上に載置された場合であっても、前記原稿のうち装置本体２の外側に延伸した領域を、補助トレイ６が支持することができる。この結果、前記原稿に折り目や浮きが生じることなく、前記原稿の画像が好適に読み取られる。
【００５９】
（４）また、上記の実施形態では、装置本体２は胴内排紙部２４を備える態様にて説明したが、本発明はこれに限定されるものではない。装置本体２は、直方体形状からなり、所定の部分に排紙部が配置される態様であってもよい。
【符号の説明】
【００６０】
１  画像形成装置
２  装置本体
２１  下部筐体
２２  上部筐体
２２１  コンタクトガラス（原稿載置面）
２２２  前壁（壁部）
２２２Ｈ  装着空間
２２２Ｉ  ＵＳＢ装着部
２２３  第１装着部
２２３Ｈ  着脱式壁部
２３  連結筐体
２４  胴内排紙部（排出空間）
２５  操作パネルユニット
２５１  操作キー
２５２  ＬＣＤタッチパネル
５  ステープルホルダー（第２ユニット）
６  補助トレイ（第１ユニット）
６０  トレイ部
６１  挿入部
６１Ｈ  挿入板金
６２  第２装着部
６３  面ファスナー
６４  カバー
６５  退避部
７  キーボード（オプション機器）
７０  キーボード本体
７１  ＵＳＢケーブル
【図１】
2014157318.tif 000003
【図２】
2014157318.tif 000004
【図３】
2014157318.tif 000005
【図４】
2014157318.tif 000006
【図５】
2014157318.tif 000007
【図６】
2014157318.tif 000008
【図７】
2014157318.tif 000009
【図８】
2014157318.tif 000010
【図９】
2014157318.tif 000011